(57)【要約】【課題】作業性がよく簡便に接続出来て、高い接続強度を発揮し得る、軟質チューブと硬質部材との接続手段を提供すること。【解決手段】外面に雄螺子１３を形成した雄螺子部３が、硬質部材１に備わり、内面に雌螺子１４を形成した硬質ナット４が、軟質チューブ２に外挿され、且つ、止めリング５が、硬質ナット４の内腔に収容されつつ軟質チューブ２に外挿される。更に、硬質環状部材６の環状部６２が軟質チューブ２に内挿をされ、硬質環状部材６の鍔部６１によって軟質チューブ２から止めリング５が外れることを防止する。硬質ナット４と雄螺子部３とが螺合されることにより、軟質チューブ２が、止めリング５と硬質環状部材６の環状部６２とで締め付けられつつ、硬質部材１と接続される。【選択図】図１
2006280533.tif 000002
【特許請求の範囲】
【請求項１】
軟質チューブと硬質部材とを接続するための構造であって、
外面に雄螺子を形成した雄螺子部が、前記硬質部材に備わり、
内面に雌螺子を形成した硬質ナットが、前記軟質チューブに外挿され、且つ、止めリングが、前記硬質ナットの内腔に収容されつつ軟質チューブに外挿され、
更に、環状部とその環状部の一端側に形成された鍔部とで構成される硬質環状部材が、前記環状部を前記軟質チューブに内挿し、前記鍔部によって前記止めリングが軟質チューブから外れることを防止し、
雌螺子を形成した前記硬質ナットと雄螺子を形成した前記雄螺子部とが螺合されることにより、前記軟質チューブが、前記止めリングと前記硬質環状部材の内挿をされた環状部とで締め付けられつつ、前記硬質部材と接続される、軟質チューブと硬質部材の接続構造。
【請求項２】
前記硬質ナットの内腔の径が、前記雄螺子部に対面する側から内腔の奥へ向けて、徐々に小さくなる請求項１記載の軟質チューブと硬質部材の接続構造。
【請求項３】
前記軟質チューブ、硬質部材の少なくとも雄螺子部、硬質ナット、及び硬質環状部材が透明である請求項１又は２に記載の軟質チューブと硬質部材の接続構造。
【請求項４】
前記硬質環状部材の環状部は、前記鍔部とは反対側の一端が、その外面側に向けて滑らかに薄くなるように形成されている請求項１〜３の何れか一項に記載の軟質チューブと硬質部材の接続構造。
【請求項５】
前記軟質チューブが、シンジオタクチック１，２−ポリブタジエン、水添ブロックポリマー、スチレンブタジエン系ブロックポリマー、軟質ポリエステル、軟質ポリアミド、ポリフルオロエチレン系ポリマーのうち少なくとも１種からなる材料で形成されている請求項１〜４の何れか一項に記載の軟質チューブと硬質部材の接続構造。
【請求項６】
前記硬質部材が、ポリカーボネート、ポリアミド、ポリエステル、ポリスチレン、ポリオレフィンのうち少なくとも１種からなる材料で形成されている請求項１〜５の何れか一項に記載の軟質チューブと硬質部材の接続構造。
【請求項７】
請求項１〜６の何れか一項に記載の軟質チューブと硬質部材の接続構造を有する医療用具。
【請求項８】
請求項１〜６の何れか一項に記載の軟質チューブと硬質部材の接続構造を有する食品製造供給機器。
【請求項９】
一の軟質チューブと他の軟質チューブとを接続するための構造であって、
前記一の軟質チューブと他の軟質チューブとの間に硬質部材が介在し、その硬質部材には、外面にそれぞれ雄螺子を形成した２つの雄螺子部が備わり、
内面に雌螺子を形成した一の硬質ナットが、前記一の軟質チューブに外挿され、且つ、一の止めリングが、前記一の硬質ナットの内腔に収容されつつ前記一の軟質チューブに外挿され、更に、環状部とその環状部の一端側に形成された鍔部とで構成される一の硬質環状部材が、前記環状部を前記一の軟質チューブに内挿し、前記鍔部によって前記一の止めリングが前記一の軟質チューブから外れることを防止するとともに、
内面に雌螺子を形成した他の硬質ナットが、前記他の軟質チューブに外挿され、且つ、他の止めリングが、前記他の硬質ナットの内腔に収容されつつ前記他の軟質チューブに外挿され、更に、環状部とその環状部の一端側に形成された鍔部とで構成される他の硬質環状部材が、前記環状部を前記他の軟質チューブに内挿し、前記鍔部によって前記他の止めリングが前記他の軟質チューブから外れることを防止し、
それぞれ雄螺子を形成した前記２つの雄螺子部のうち一の雄螺子部が、内面に雌螺子を形成した前記一の硬質ナットと螺合され、且つ、他の雄螺子部が、内面に雌螺子を形成した前記他の硬質ナットと螺合されることにより、前記一の軟質チューブが前記他の軟質チューブと接続される、軟質チューブと軟質チューブの接続構造。
【発明の詳細な説明】
【技術分野】
【０００１】
本発明は、軟質チューブと硬質部材とを接続するために好適な接続構造に関する。
【背景技術】
【０００２】
軟質チューブと硬質部材とを接続する場合、一般には、その接続は、硬質部材に突出部を形成し、その先端をテーパー状にして軟質チューブの中空部分に挿入し、テーパー状の部分により軟質チューブを拡径して、突出部の外面と軟質チューブの中空形成面とを密着させて保持することで行われる。図３は、その一例を示す説明図であり、容器３７に形成された硬質の突出部３３（硬質部材）を軟質チューブ３２の中空部分に挿入した態様が示されている。この手段は、テーパー状にすることにより硬質の突出部を軟質チューブに挿入させ易くしているが、密着させた突出部の外面部分と軟質チューブの中空形成面の間に水分や油分が存在すると、硬質の突出部から軟質チューブが抜け易いという問題がある。
【０００３】
そのため、硬質の突出部を、更にタケノコ状にする工夫が知られている。図４は、その一例を示し、接続部分を表した断面図である。硬質の突出部４３はタケノコ状を呈しており、軟質チューブ４２の中空部分に挿入するときは大きな摩擦力が生じないが、抜ける方向に力が作用する場合には摩擦力が大きくなって抜け難いという長所がある。
【０００４】
しかし、何れの手段も構造が単純な点は望ましいものであるが、軟質チューブの径が細い場合等においては、硬質の突出部（硬質部材）がテーパー状になっていても挿入することが困難である。特に、例えば医療用具においては、医療現場という緊迫感の下での作業であっても簡単に接続出来ることが好ましいため、上記手段より容易な接続手段が望まれている。又、上記何れの手段も長期間が経過すると、軟質チューブが拡径したままになることにより、硬質の突出部に対する密着力が弱まり、やはり外れ易くなるという問題がある。そして、径が拡がった軟質チューブは再利用が出来ないという経済的な不利益も抱えている。尚、軟質チューブと硬質部材との接続にかかる先行文献として、特許文献１，２，３が挙げられる。
【０００５】
【特許文献１】特開平３−２１２６３号公報
【特許文献２】特開２００１−９５９２７号公報
【特許文献３】特開２０００−３５４６３５号公報
【発明の開示】
【発明が解決しようとする課題】
【０００６】
本発明は、上記した事情に鑑みてなされたものであり、その目的とするところは、作業性がよく簡便に接続出来て、高い接続強度を発揮し得る、軟質チューブと硬質部材との接続手段を提供することにある。研究が重ねられた結果、以下に示す手段により、上記目的を達成出来ることが見出された。
【課題を解決するための手段】
【０００７】
即ち、本発明によれば、軟質チューブと硬質部材とを接続するための構造であって、外面に雄螺子を形成した雄螺子部が、硬質部材に備わり、内面に雌螺子を形成した硬質ナットが、軟質チューブに外挿され、且つ、止めリングが、硬質ナットの内腔に収容されつつ軟質チューブに外挿され、更に、環状部とその環状部の一端側に形成された鍔部とで構成される硬質環状部材が、環状部を軟質チューブに内挿し、鍔部によって軟質チューブから止めリングが外れることを防止し、雌螺子を形成した硬質ナットと雄螺子を形成した雄螺子部とが螺合されることにより、軟質チューブが、止めリングと硬質環状部材の内挿をされた環状部とで締め付けられつつ、硬質部材と接続される、軟質チューブと硬質部材の接続構造が提供される（本発明に係る第１の接続構造ともいう）。
【０００８】
本発明に係る軟質チューブと硬質部材の接続構造においては、硬質ナットの内腔の径が、雄螺子部に対面する側から内腔の奥へ向けて、徐々に小さくなることが好ましい。更に、雌螺子部より奥に向けて、徐々に小さくなることがより好ましい。
【０００９】
又、本発明に係る軟質チューブと硬質部材の接続構造においては、軟質チューブ、硬質部材の少なくとも雄螺子部、硬質ナット、及び硬質環状部材が透明であることが好ましい。ここで、透明とは、可視光の透過率が４０％以上であることを意味する。可視光の透過率が６０％以上の軟質チューブ、硬質部材の少なくとも雄螺子部、硬質ナット、及び硬質環状部材を採用することが、より好ましい。
【００１０】
更に、雌螺子を形成した硬質ナットと雄螺子を形成した雄螺子部との螺合は、限定されるものではないが、１〜５周り程度（雄螺子の螺子山の数として１〜５程度）であることが好ましい。短時間使用する場合は１〜３周り程度、比較的長期間使用する場合は２〜５回り程度が作業性や安全性の面から好ましい。
【００１１】
尚更に、硬質環状部材の環状部は、鍔部とは反対側の一端が、その外面側に向けて滑らかに薄くなるように形成されていることが好ましい。
【００１２】
本発明に係る軟質チューブと硬質部材の接続構造は、限定されるわけではないが、軟質チューブが、シンジオタクチック１，２−ポリブタジエン、水添ブロックポリマー、スチレンブタジエン系ブロックポリマー、軟質ポリエステル、軟質ポリアミド、ポリフルオロエチレン系ポリマー、水添ブロックポリマーとポリオレフィンとのブレンド物のうち少なくとも１種からなる材料で形成されていることが好ましい。その他に、軟質チューブの材料として、ポリ塩化ビニル等を挙げることが出来る。
【００１３】
又、限定されるわけではないが、硬質部材が、ポリカーボネート、ポリアミド、ポリエステル、ポリスチレン（シンジオタクチックポリスチレン、高耐衝撃性ポリスチレン、汎用ポリスチレン等スチレン含量が８０％以上のポリマー）、ポリオレフィン（ポリメチルペンテン、ポリブチレン、高密度ポリエチレン、中密度ポリエチレン、ポリプロピレン等の炭素数が２〜１０のオレフィンよりなる結晶性のポリマー）のうち少なくとも１種からなる材料で形成されていることが好ましい。その他に、硬質部材の材料として、各種ガラス材料、各種金属材料等を挙げることが出来る。
【００１４】
次に、本発明によれば、上記した何れかの軟質チューブと硬質部材の接続構造を有する医療用具が提供される。医療用具とは、例えば、輸液セットであり、輸液バッグに移送用のチューブを接続する手段として好適に用いられる。
【００１５】
更に、上記した何れかの軟質チューブと硬質部材の接続構造を有する食品製造供給機器が提供される。食品製造供給機器とは、例えば、飲料の自動販売機であり、飲料タンクに移送用のチューブを接続する手段として好適に用いられる。
【００１６】
又、本発明によれば、一の軟質チューブと他の軟質チューブとを接続するための構造であって、一の軟質チューブと他の軟質チューブとの間に硬質部材が介在し、その硬質部材には、外面にそれぞれ雄螺子を形成した２つの雄螺子部が備わり、内面に雌螺子を形成した一の硬質ナットが、一の軟質チューブに外挿され、且つ、一の止めリングが、一の硬質ナットの内腔に収容されつつ一の軟質チューブに外挿され、更に、環状部とその環状部の一端側に形成された鍔部とで構成される一の硬質環状部材が、環状部を一の軟質チューブに内挿し、鍔部によって一の止めリングが一の軟質チューブから外れることを防止するとともに、内面に雌螺子を形成した他の硬質ナットが、他の軟質チューブに外挿され、且つ、他の止めリングが、他の硬質ナットの内腔に収容されつつ他の軟質チューブに外挿され、更に、環状部とその環状部の一端側に形成された鍔部とで構成される他の硬質環状部材が、環状部を他の軟質チューブに内挿し、鍔部によって他の止めリングが他の軟質チューブから外れることを防止し、それぞれ雄螺子を形成した２つの雄螺子部のうち一の雄螺子部が、内面に雌螺子を形成した一の硬質ナットと螺合され、且つ、他の雄螺子部が、内面に雌螺子を形成した他の硬質ナットと螺合されることにより、一の軟質チューブが他の軟質チューブと接続される、軟質チューブと軟質チューブの接続構造が提供される（本発明に係る第２の接続構造ともいう）。この本発明に係る第２の接続構造では、一の軟質チューブは、一の止めリングと一の硬質環状部材の内挿をされた環状部とで締め付けられ、他の軟質チューブは、他の止めリングと他の硬質環状部材の内挿をされた環状部とで締め付けられて、それぞれ抜け難くなっている。
【発明の効果】
【００１７】
本発明に係る軟質チューブと硬質部材の接続構造は、使用時において、軟質チューブに硬質ナットと止めリングとが外挿され、硬質環状部材が内挿された一体の状態にすることが出来る。従って、接続を行う作業者にとっては構造が簡単で取り扱いし易いものである。硬質ナットの内腔に収容されつつ軟質チューブに外挿される止めリングが、硬質環状部材の鍔部によって軟質チューブから外れ難くなっているので、現場において分解されてしまい、作業性が低下するといった問題は生じ難い。
【００１８】
そして、接続する際には、雌螺子を形成した硬質ナットと雄螺子を形成した雄螺子部とを雄螺子と雌螺子とで螺合するだけである。従って、現場における作業性が良好であり、軟質チューブの径のサイズによらず接続が容易に行える。例えば医療用具における接続手段として採用され、医療現場という緊迫感の下での接続作業であっても、簡単にミスなく行うことが可能である。
【００１９】
本発明に係る軟質チューブと硬質部材の接続構造は、溶剤等を用いて軟質チューブと硬質部材とを接着するわけではなく、硬質部材の突出部をテーパー状に形成して軟質チューブの中空部分に挿入して拡径（変形）させるわけでもないから、繰り返し使用出来、何度でも接続と分離を行うことが可能であり、経済的であり、廃棄物の低減に寄与する。
【００２０】
又、硬質ナット（雌螺子）と雄螺子部（雄螺子）との螺合によって接続するので、長期間、強固に、安定して接続を保持出来、時間の経過により外れ易くなるという問題は生じない。接続部分に、仮に水分や油分が付着しても接続が解除されたり軟質チューブが抜けてしまう問題は生じない。そして、好ましい態様によれば、その螺合は１〜５周り程度であるため、螺合による締め付け作業も容易である。
【００２１】
更に、硬質ナットと雄螺子部とが螺合されることにより、軟質チューブが、止めリングと硬質環状部材の内挿をされた環状部とで締め付けられるので、軟質チューブが潰され変形したり、軟質チューブのみが抜けてしまうといった不具合も生じ難い。この軟質チューブの締め付け効果は、硬質ナットの内腔の径を、雄螺子部に対面する側から内腔の奥へ向けて、徐々に小さくする（本発明に係る第１の接続構造の好ましい態様）ことにより、より確実に得ることが出来る。
【００２２】
本発明に係る軟質チューブと硬質部材の接続構造は、その好ましい態様において、軟質チューブ、硬質部材の少なくとも雄螺子部、硬質ナット、及び硬質環状部材が透明である。従って、軟質チューブから本発明に係る第１の接続構造を経て硬質部材に至る流体の流れ・存在が容易に確認出来、例えば、輸血セットや輸液セット等の医療用具における軟質チューブと硬質部材とを接続する手段として好適である。又、飲料や調味料等の製造ライン（工場）や自動販売機における軟質チューブと硬質部材とを接続する手段としても好ましく使用出来る。
【００２３】
又、本発明に係る第１の接続構造は、その好ましい態様において、硬質環状部材の環状部は、鍔部とは反対側の一端が、その外面側に向けて滑らかに薄くなるように形成されているため、硬質環状部材の環状部が軟質チューブに内挿されたときに、硬質環状部材の環状部と軟質チューブとの間に殆ど段差が形成されない。従って、液溜まりを嫌う医療用具や食品製造供給機器における軟質チューブと硬質部材との接続手段として好適である。
【００２４】
更に、好ましい態様において、軟質チューブの材料としてシンジオタクチック１，２−ポリブタジエンや水添ブロックポリマーとポリオレフィンのブレンド物を主体とする樹脂を採用出来る。この材料は、ハロゲン原子の含有量や可塑剤等の添加物が極少量であるので、この観点から、本発明に係る第１の接続構造は、輸血セットや輸液セット等の医療用具における軟質チューブと硬質部材とを接続する手段として好適である。
【発明を実施するための最良の形態】
【００２５】
以下、本発明について、適宜、図面を参酌しながら、実施の形態を説明するが、本発明はこれらに限定されて解釈されるべきものではない。本発明の要旨を損なわない範囲で、当業者の知識に基づいて、種々の変更、修正、改良、置換を加え得るものである。例えば、図面は、好適な本発明の実施の形態を表すものであるが、本発明は図面に表される態様や図面に示される情報により制限されない。本発明を実施し又は検証する上では、本明細書中に記述されたものと同様の手段若しくは均等な手段が適用され得るが、好適な手段は、以下に記述される手段である。
【００２６】
図１及び図２は、本発明に係る軟質チューブと硬質部材の接続構造の一実施形態を説明するための側面図であり、図１は、組み込むことにより隠れてしまう発明構成要素を分解して露わに示した図であり、図２は、使用時における態様を示す図である。本発明に係る軟質チューブと硬質部材の接続構造は、容器７の硬質の突出部に相当する硬質部材１に雄螺子部３が備わり、その雄螺子部３の外面には雄螺子１３が形成されている（雄の螺子山が形成されていることを意味する）。そして、硬質部材１は、（例えば）ポリカーボネート樹脂で形成されている。
【００２７】
一方、（例えば）シンジオタクチック１，２−ポリブタジエンで形成された透明な軟質チューブ２には、硬質ナット４及び止めリング５が外挿され、硬質環状部材６が内挿される。硬質ナット４及び硬質環状部材６は、（例えば）ポリカーボネート樹脂で形成し透明なものとすることが出来る。尚、止めリング５は、接液しないことから、使用材料に制限はなく、例えば、各種合成ゴムからなるＯリングやポリエチレン等の軟質チューブと硬質部材との中間の硬度の樹脂材料からなるバンド状リングを採用出来る。
【００２８】
硬質ナット４の内面には雌螺子１４が形成されており（雌の螺子山（溝）が形成されていることを意味する）、上記した硬質部材１の雄螺子部３に形成された雄螺子１３と螺合可能となっている。又、硬質ナット４の内腔の径は、雄螺子部３に対面する側から内腔の奥へ向けて、徐々に小さくなっている。止めリング５は、軟質チューブ２に外挿されるが、一方で、硬質ナット４の内腔に収容される。又、硬質環状部材６は、環状部６２とその環状部６２の一端側に形成された鍔部６１とで構成され、軟質チューブ２に内挿されるのはその鍔部６１を除いた環状部６２である。止めリング５は、硬質ナット４の内腔に収容されており、環状部６２が内挿された硬質環状部材６の鍔部６１が軟質チューブ２から外側に少し突出しているので、軟質チューブ２から止めリング５は外れ難くなっている。
【００２９】
図２に示されるような、軟質チューブ２に硬質ナット４と止めリング５とが外挿され、硬質環状部材６が内挿された一体の状態にして、硬質ナット４を硬質部材１の雄螺子部３に螺合することにより、軟質チューブ２と硬質部材１とが接続される。そして、このとき、その螺合によって、軟質チューブ２が、止めリング５と硬質環状部材６の環状部６２とで締め付けられるので、抜け難くなる（図２参照）。尚、図１及び図２では、雄螺子部３に形成された雄螺子１３と硬質ナット４に形成された雌螺子１４とはそれぞれ３つの螺子山になっているが、螺合が２周り以下でも充分な接続強度を確保出来る。
【００３０】
更に、硬質環状部材６の環状部６２は、図１に明示されるように、鍔部６１とは反対側の一端が、その外面側（内挿された状態で軟質チューブ２と密着する側）に向けて滑らかに薄くなるように形成されており、図２に示されるような一体の状態において、硬質部材１の雄螺子部３から、硬質環状部材６を経て、軟質チューブ２につながる流路に、殆ど段差が形成されず概ね滑らかな平坦な流路になっており、液溜まりの要因は構造的に排除されている。
【００３１】
次に、図５は、本発明に係る軟質チューブと軟質チューブの接続構造の一実施形態を説明するための側面図であり、組み込むことにより隠れてしまう発明構成要素を分解して露わに示した図である。本発明に係る軟質チューブと軟質チューブの接続構造は、軟質チューブ２ａと軟質チューブ２ｂとの間に硬質部材１０を介在させて接続する構造である。硬質部材１０は、（例えば）ポリカーボネート樹脂で形成されているものであり、外面にそれぞれ雄螺子１３ａ，１３ｂを形成した２つの雄螺子部３ａ，３ｂが備わっている。
【００３２】
一方、（例えば）シンジオタクチック１，２−ポリブタジエンで形成された透明な２本の軟質チューブ２ａ，２ｂには、それぞれ硬質ナット４ａ，４ｂ及び止めリング５ａ，５ｂが外挿され、又、それぞれ硬質環状部材６ａ，６ｂが内挿される。硬質ナット４ａ，４ｂ及び硬質環状部材６ａ，６ｂは、（例えば）ポリカーボネート樹脂で形成し透明なものとすることが出来る。尚、止めリング５ａ，５ｂは、接液しないことから、使用材料に制限はなく、例えば、各種合成ゴムからなるＯリングやポリエチレン等の軟質チューブと硬質部材との中間の硬度の樹脂材料からなるバンド状リングを採用出来る。
【００３３】
硬質ナット４ａ，４ｂの内面にはそれぞれ雌螺子１４ａ，１４ｂが形成されており、上記した硬質部材１０の雄螺子部３ａ，３ｂにそれぞれ形成された雄螺子１３ａ，１３ｂと個別に螺合可能となっている。又、硬質ナット４ａの内腔の径は、雄螺子部３ａに対面する側から内腔の奥へ向けて、徐々に小さくなっている。硬質ナット４ｂも同様である。止めリング５ａ，５ｂは、それぞれ軟質チューブ２ａ，２ｂに外挿されるが、一方で、それぞれ硬質ナット４ａ，４ｂの内腔に収容される。
【００３４】
又、硬質環状部材６ａは、環状部６２とその環状部６２の一端側に形成された鍔部６１とで構成され、軟質チューブ２ａに内挿されるのはその鍔部６１を除いた環状部６２である。硬質環状部材６ｂについても同様である。止めリング５ａ，５ｂは、硬質ナット４ａ，４ｂの内腔にそれぞれ収容されており、硬質環状部材６ａ，６ｂの各々の鍔部６１が、それぞれ軟質チューブ２ａ，２ｂから外側に少し突出しているので、軟質チューブ２ａから止めリング５が外れ難く、軟質チューブ２ｂから止めリング５が外れ難い。
【００３５】
接続に際しては、軟質チューブ２ａに硬質ナット４ａと止めリング５ａとが外挿され硬質環状部材６ａが内挿された一体の状態にし、同様に、軟質チューブ２ｂに硬質ナット４ｂと止めリング５ｂとが外挿され硬質環状部材６ｂが内挿された一体の状態にする。そして、硬質ナット４ａを硬質部材１０の雄螺子部３ａに螺合し、硬質ナット４ｂを硬質部材１０の雄螺子部３ｂに螺合することにより、軟質チューブ２ａと軟質チューブ２ｂとが硬質部材１０を介して接続される。このとき、それぞれの螺合によって、軟質チューブ２ａが止めリング５ａと硬質環状部材６ａの環状部６２とで締め付けられ、軟質チューブ２ｂが止めリング５ｂと硬質環状部材６ｂの環状部６２とで締め付けられるので、軟質チューブ２ａ及び軟質チューブ２ｂは硬質部材１０から抜け難い。
【００３６】
更に、硬質環状部材６ａ，６ｂのそれぞれにおいて、図５に明示されるように、環状部６２は鍔部６１とは反対側の一端が、その外面側（内挿された状態で軟質チューブと密着する側）に向けて滑らかに薄くなるように形成されている。従って、軟質チューブ２ａから硬質環状部材６ａを経て硬質部材１０に入り更に硬質環状部材６ｂを経て軟質チューブ２ｂにつながる流路に、殆ど段差が形成されず概ね滑らかな平坦な流路になっており、液溜まりの要因は構造的に排除されている。
【産業上の利用可能性】
【００３７】
本発明は、輸血セットや輸液セット等の医療用具における軟質チューブと硬質部材とを接続する手段として好適に用いられる。又、飲料や調味料等の製造ライン（工場）や自動販売機における軟質チューブと硬質部材とを接続する手段としても有用である。
【図面の簡単な説明】
【００３８】
【図１】本発明に係る軟質チューブと硬質部材の接続構造の一実施形態を説明するための側面図であり、組み込むことにより隠れてしまう発明構成要素を分解して露わに示した図である。
【図２】図１に示される接続構造の、使用時における態様を示す側面図である。
【図３】従来の軟質チューブと硬質部材とを接続する手段の一例を示す説明図である。
【図４】従来の軟質チューブと硬質部材とを接続する手段の他例を示す説明図である。
【図５】本発明に係る軟質チューブと軟質チューブの接続構造の一実施形態を説明するための側面図であり、組み込むことにより隠れてしまう発明構成要素を分解して露わに示した図である。
【符号の説明】
【００３９】
１，１０…硬質部材、２，２ａ，２ｂ，３２，４２…軟質チューブ、３，３ａ，３ｂ…雄螺子部、４，４ａ，４ｂ…硬質ナット、５，５ａ，５ｂ…止めリング、６，６ａ，６ｂ…硬質環状部材、７，３７…容器、１３，１３ａ，１３ｂ…雄螺子、１４，１４ａ，１４ｂ…雌螺子、３３，４３…突出部、６１…鍔部、６２…環状部。
【図１】
2006280533.tif 000003
【図２】
2006280533.tif 000004
【図３】
2006280533.tif 000005
【図４】
2006280533.tif 000006
【図５】
2006280533.tif 000007